(57)【要約】特に患者を核医学撮像センターに動かすことができないとき、容易に患者に動かして現場で撮像を提供することができる、コンパクトで、可動式の、専用ＳＰＥＣＴ脳イメージャ。単一光子標識バイオマーカの広範囲の利用性の結果、メディカルセンタからの遠隔地を含む多くの場所でＳＰＥＣＴ脳イメージャを使用できる。このＳＰＥＣＴイメージャは大きい視野で患者の頭、頚部からのガンマ線放出の検出を改良する。２つの同じ軽量ガンマ線イメージング検出器ヘッドが、回転式ガントリーに取り付けられて、１８０度で正確に機械的に互いに対して共同登録される。ユニークな画像アルゴリズムにより検出器ヘッドからの共同登録にされた画像を結合し、画像化された対象物のいくつかのＳＰＥＣＴトモグラフィ再構成を供給することにより、特に、同時により高い空間分解能と感度を必要とする撮像の場合に診断品質を改良する。
2012515921.tif 000002
【特許請求の範囲】
【請求項１】
コンパクトで可動式の高解像単一光子プレーナ・ＳＰＥＣＴ脳撮像システムであって、単一光子標識バイオマーカを投与された患者の脳／頚部／ヘッドを画像化するためのシステムにして、
回転式ガントリー；
前記回転式ガントリーに取り付けられて、機械的にお互いに対して付けられた２つの同じコンパクトなガンマ線イメージング検出器ヘッドであって、
お互いに対して１８０度の角度で機械的にお互いに共同登録され、
患者の脳または頚部が前記検出器ヘッドの得られた有効視野カバー範囲によって完全に取り囲まれる状態で患者のヘッドの反対側に置かれた前記検出器ヘッド；
画像スキャン中に患者による頭部運動を最小にする装置；および
脳／頚部／ヘッドのトモグラフィ画像を製作するための前記ガンマ線検出モジュールのそれぞれから画像データを個別に受け付けるためのデータ収集・処理システム、
を含む上記撮像システム。
【請求項２】
請求項１のＳＰＥＣＴ脳撮像システムであって、前記ガンマ線イメージング検出器ヘッドが、
２個の同じガンマカメラ；そして
２個の同じで共同直線的な平行孔コリメータ、
を有する撮像システム。
【請求項３】
１ｃｍより小さい病変とガンマカメラの表面から離れて位置した病変が、検出可能である感度を有する請求項１のＳＰＥＣＴ脳撮像システム。
【請求項４】
請求項１のＳＰＥＣＴ脳撮像システムであって、前記ガントリーは回転スキャンに加えた並進スキャンができる、上記撮像システム。
【請求項５】
請求項１のＳＰＥＣＴ脳撮像システムであって、
高感度とともに少なくとも５ｍｍの空間分解能；
５−２０  センチメータの幅の撮像スライス；および
少なくとも２０ｃｍ  ｘ１５ｃｍのＦＯＶであって、患者の脳または頚部の全体を完全に取り囲む前記のＦＯＶ
を含む撮像システム。
【請求項６】
前記検出器ヘッドの間の距離を調整するための装置を含む請求項１のＳＰＥＣＴ脳撮像システム。
【請求項７】
請求項１のＳＰＥＣＴ脳撮像システムであって、前記単一光子バイオマーカがＴｃ−９９ｍＩ１２３と、Ｉｎ１１１、Ｌｕ１７７およびＩ１３１を含む群から選ばれる上記撮像システム。
【請求項８】
請求項２のＳＰＥＣＴ脳撮像システムであって、前記ガンマカメラに取り付けられた前記共同直線的な平行孔コリメータが、点状および直線状の放射能源と機械的に正確に整列させられている上記撮像システム。
【請求項９】
前記ガントリーがステップして進むか、または連続的に回転して、前記共同登録された検出器ヘッドの両方に、２つの個別に生産されたシリーズの、患者のヘッドまたは頚部の画像化された部分の角度のある投影を生じる請求項１のＳＰＥＣＴ脳撮像システム。
【請求項１０】
.請求項１のＳＰＥＣＴ脳撮像システムであって、
前記脳撮像システムは撮像ベッドまたはいすを含んでおり；
患者による頭部運動を最小にする前記装置は、患者の安心を維持しながら、患者のヘッドを前記撮像ベッドまたは椅子に取り付けて頭部運動を最小にする
上記撮像システム。
【請求項１１】
請求項１のＳＰＥＣＴ脳撮像システムであって、ヘッド／脳／頚部セグメントの単位時間あたりの全放射能をＡとして、２つの平面画像の同時収得、各カメラ２１と２２により検出された該ヘッド／頚部セグメントからのγ線の数は次によって近似できる、上記撮像システム。
【数１】
2012515921.tif 000007
ここで、ε1およびε２はそれぞれカメラ１と２の実用的検出効率（肺、骨などの吸収を含む）であり、ｔは秒単位のアクイジションタイムであり、μは組織の線形減衰係数(linear attenuation coefficient)（ｃｍ−１）であり、ｄは、ヘッド／頚部の表面の下の対象物セクターの深さ（ｃｍ）であって、カメラ１の表面の方向に測定された深さであり、そして、Ｔは関連投影平面で、その方向での対象物の厚さ（ｃｍ）である。
【請求項１２】
請求項１１のＳＰＥＣＴ脳撮像システムであって、同じタイム・ビンで得られた２つの共同登録された画像のピクセル値がピクセルごとのベースで増倍され、そのために各タイム・ビンごとに単一の生成イメージを生じ、関心対象物セグメントからの該生成画像信号値が次式で近似できる、上記撮像システム。
【数２】
2012515921.tif 000008
【請求項１３】
.請求項１のＳＰＥＣＴ脳撮像システムであって、前記２つの検出器ヘッドが幾何学上必要な詳細を達成する１より良いｍｍと次に対象物の高精度な３Ｄトモグラフィ再構成を生産するユニークな１対１検出器ピクセル通信に整列させられる。
【請求項１４】
請求項２のＳＰＥＣＴ脳撮像システムであって、前記検出器ヘッドが、
前記平行孔コリメータを通過するγ線のセンサー・エネルギ変換器としてのシンチレータ；そして
シンチレータの中で吸収されたγ線により発生したシンチレーション光を検出する光検出器、
を含む上記撮像システム。
【請求項１５】
請求項１４のＳＰＥＣＴ脳撮像システムであって、
前記シンチレータはＮａＩ（Ｔｌ），  ＣｓＩ（Ｔｌ），  ＣｓＩ（Ｎａ），  ＧＳＯ、およびＬａＢｒ３を含むグループから選択されたピクセル化した又は板状の結晶材料からつくられており、
前記光検出器は標準の光電子増倍管、多元素光電子増倍管、位置検出型光電子増倍管、フラットパネル光電子増倍管、マイクロチャネルプレート・ベースの光電子増倍管、アバランシェフォトダイオード・アレイ、抵抗性など読み出し装置を有する大型アバランシェフォトダイオード、およびシリコン光電子増倍管を含むグループから選択される、
上記撮像システム。
【請求項１６】
単一光子標識バイオマーカが投与された患者の脳／頚部／ヘッドを画像化する、以下を含むコンパクトで可動式の高解像単一光子プレーナ・ＳＰＥＣＴ脳撮像システム；
リング・プレートを含む回転式ガントリー；
前記回転式ガントリーの前記リング・プレートに取り付けられ、機械的にお互いに対して付けられた、２対の共同登録されたガンマ検出器ヘッドであって、
前記検出器ヘッドの前記２対の各々における各検出器ヘッドが、互いに対して１８０度の角度に機械的にお互いに共同登録されたものである上記ガンマ検出器ヘッド；
検出器ヘッドの前記対組の間の位置と相対角度を調整するための調節装置；
前記の検出器ヘッドは、患者の脳または頚部が前記検出器ヘッドの得られた有効視野カバー範囲によって完全に取り囲まれている状態で、患者のヘッドの反対側に置かれており；
画像スキャンの間に患者による頭部運動を最小にする装置；および
脳／頚部／ヘッドのトモグラフィ画像を製作するための、前記ガンマ線検出モジュールの各々から画像データを個別に受け付けるデータ収集・処理システム。
【請求項１７】
請求項１６のＳＰＥＣＴ脳撮像システムであって、前記２対の共同登録された検出器ヘッドが前記リング・プレートに９０の角度でお互いに対して取り付けられる、上記撮像システム。
【請求項１８】
請求項１６のＳＰＥＣＴ脳撮像システムであって、前記検出器ヘッドが２５０ｋＨｚの速度能力で作動するマルチ・パッドＰＭＴ検出器ヘッド装置を含む上記撮像システム。
【請求項１９】
請求項１６のＳＰＥＣＴ脳撮像システムであって、前記ガンマ検出器ヘッドが、
アレイ状の１６のＰＭＴ；
を含み、
前記ＰＭＴは、４×４アレイに配置され、ＮａＩ（Ｔｌ）シンチレータ・ピクセルアレイに２ｍｍ−５ｍｍの画素サイズで結合されており、
前記ＰＭＴはフラットパネル・マルチ・パッド位置検出型ＰＭＴとシリコンＰＭＴを含むグループから選択される、
上記撮像システム。
【請求項２０】
請求項１６のＳＰＥＣＴ脳撮像システムであって、前記２対の検出器ヘッドがシリコンＰＭＴ、コリメータ、遮蔽体、および他の材料を含み、これらはＭＲＩ互換性があって強磁場に免疫があるため、前記脳撮像システムのＭＲＩ磁石への装入が可能でｆＭＲＩ−ＳＰＥＣＴを含む同時のデュアル・モダリティ撮像を実現する、
上記撮像システム。
【発明の詳細な説明】
【技術分野】
【０００１】
1)本発明は、患者のヘッド、脳、および頚部領域を画像化するＳＰＥＣＴイメージング、特にコンパクトで可動式の高解像ＳＰＥＣＴイメージング・システムに関する。
【背景技術】
【０００２】
2)米国とヨーロッパ人口が年をとり続けているのに従って、長くなった寿命、並びにアルツハイマー病、パーキンソン病、他の認知症、および癌腫が増え、高齢者人口で、脳疾患がより一般的になってきている。米国における約４００万人はアルツハイマー病を有する。米国だけが２０５０年までに１５００万人のアルツハイマー病の症例を有すると予想される。また、米国におけるおよそ１５０万人はパーキンソン病を有する。神経学的な脳疾患は６０才以上の１％のアメリカ人に影響する、そして、毎年、１０万人の新しい症例がある。脳機能の診断的解析は現在の画像技術でまだ対処されていない必要性な部門を表す。医師は介入と治療の病状、処方治療、およびモニタ処理結果を診断するために、解剖学に加えて脳機能に関するより特異的で、正確な情報を必要としている。アルツハイマー病のための有望な新薬療法が開発され、この病気の悪化を遅くすることができる。核医学は、現在、脳機能の評価を補助するいくつかの分子画像モダリティを提供する：ポジトロン放出断層撮影（ＰＥＴ）、単一光子放出コンピュータ断層撮影法（ＳＰＥＣＴ）、平面限定角度断層撮影または単純平面単一ガンマ線イメージング。3)脳の生物学とイメージング性能（処理と撮像の技術の物理学を含む）の観点から、ＰＥＴは以下を含むいくつかの理由により分子脳撮像タスクに関する第１の選択である。1)18ＦーＦＤＧ脳撮像がアルツハイマー病の診断のための鋭敏な方法として既に役立っている。2)Ｐｉｔｔｓｂｕｒｇｈ  Ｃｏｍｐｏｕｎｄ  Ｂ（ＰＩＢ）バイオマーカがアルツハイマー病の早期診断をさらに改良すると予想される。３）脳機能撮像のための多くの新しいＰＥＴ放射性薬品が、症状が現れる前に病状を診断するために現在、開発中である。4)現在の臨床のＰＥＴスキャナにより提供される４〜５ｍｍの解像度は、臨床のＳＰＥＣＴシステムにより提供されるそれの半分未満である。そして５）ＳＰＥＣＴイメージングで得られた典型的な空間分解能は、機械的なコリメータの物理的限界のため約１０ｍｍであるが、ＰＥＴ技術の物理的限界は約ｌ−２ｍｍである。しかしながら、現時点では、単一光子でラベルされたバイオマーカは、より長い半減期、近い生産センターは不要であること、および低いコストのため、ほとんどの実際的な状況で入手可能であるが、ＰＥＴの利用率とコストは速く広い範囲への導入への障害物である。
【０００３】
4)Ｔｃ−９９ｍは約１４０ｋｅＶで光子（ガンマ）を放出し約６時間の便利な半減期を有する核医学に使用される最も人気がある標識である。単一光子撮像法に伴う重大な問題は、脳などの組織を横断するとき、Ｔｃ−９９ｍからの独特のγ線がかなりの吸収を受けるということである。Ｔｃ−９９ｍの場合の結果として、ガンマ線束およびガンマカメラ内の関連撮像信号であって検出器から離れているヘッド／頚部のセクターから来るものは、ヘッドの前部で起こるγ線よりはるかに減衰している。
【０００４】
5)適切なコリメータと遮蔽で、Ｉ１２３、Ｉｎ１１１、Ｌｕ１７７、またはＩ１３１などの他の単一光子標識の分布を画像化することができる。Ｉ１２３（１５９ｋｅＶのガンマ線放出）を除いて、３つの記載されたベータ放出体は、放射線癌治療で使用されて、また、密封小線源治療として知られている。原則として、したがって、提案の方法は治療の間、脳／頚部の癌組織の撮像を改良することもできる。
【０００５】
6)ＳＰＥＣＴで診断できる神経障害は、脳外傷、アルツハイマー病、注意欠陥・多動性障害（ＡＤＨＤ）、不安障害、自閉性障害、双極性障害、鬱病、および強迫神経症を含んでいる。
【発明の概要】
【発明が解決しようとする課題】
【０００６】
7)したがって、必要であるものは、患者のヘッド、脳、および頚部領域の全体の高分解能画像を製作することが可能なモバイル専用のＳＰＥＣＴ脳イメージャである。専用のイメージャ幾何的配置は、撮像信号の損失を低減することを含むが、このような損失はガンマ線が検出器から離れているセクターから来るためγ線が減衰する結果生じる。ＳＰＥＣＴ撮像を使用することによって、脳イメージャは、匹敵するＰＥＴバイオマーカより低いコストで容易に入手可能なＳＰＥＣＴバイオマーカの長い半減期を利用する。
【課題を解決するための手段】
【０００７】
8)本発明は、特に患者を核医学撮像センターに動かすことができないときに容易に患者に動かして現場で撮像を提供することができる、コンパクトで、可動式の、そして、専用のＳＰＥＣＴ脳イメージャである。単一光子でラベルされたバイオマーカの広範囲の利用性の結果、メディカルセンタから遠隔地を含む多くの位置でＳＰＥＣＴ脳イメージャを使用できる。このＳＰＥＣＴイメージャは患者の頭、頚部からガンマ線放出の検出を改良する。該ＳＰＥＣＴイメージャは、単一のガンマ画像診断療法を使用することで特に同時により高い空間分解能と感度を必要とする画像化の場合に診断品質を改良する。
【発明の効果】
【０００８】
9)いくつかの利点が以下を含む本発明の高解像性単一光子プレーナ・ＳＰＥＣＴ脳イメー  
【０００９】
ジャで達成される。
(1)視野カバー範囲が有意に改良される（約２０ｃｍ  ｘ１５ｃｍ）。２つの同じコンパクトな軽量のガンマ・イメージング検出器を提供することにより従来のＳＰＥＣＴ脳イメージャに対して。該検出器ヘッドは回転式ガントリーに取り付けられて、互いに対して１８０度（相互に対して正反対に置く）で正確に機械的に共同登録される。検出器ヘッドは、患者の両側に置かれて、機械的にお互いに対して付けられるが、この際に患者の脳または頚部が結果として得られる有効視野カバー範囲によって完全に包含されている。
(2)２個のガンマカメラに取り付けられた平行孔コリメータは、正確に機械的に一線に整列させられるが、このとき位置合せの精度が点状および直線状の放射能源で有効にされている。
(3)２つの個別に生産されたシリーズの両方の検出器ヘッドで患者のヘッドまたは頚部の画像化された部分の角度のある投影が、ステップするか、または連続的に回転する機械的なガントリーを使用することで得られ、各角度の投影について、両方のイメージャからの前処理され共同登録された画像の増倍又は他の複合処理を含む特別な画像化アルゴリズムによる１セットの投影像として処理される。
【００１０】
(4)個々の検出器ヘッドから得られた投影画像、及び結合された画像は、必要に応じて、結合された画像が標準セットとして機能し、個々の画像は付加情報を提供するものとして機能する状態で、対象物の３つのＳＰＥＣＴトモグラフィ再構成を得るのに使用される。例えば、個々の画像は放射能取込み率に関する線形情報を含んでいるし、結合された画像は非常に非線形である。
(5)いくつかのモードで上記の共同登録された検出器ヘッドの二セットからなる該システムはいくつかのモードで使用できる。これには、ヘッド／頚部領域の２つの同時の相補的で動的に視線を提供する、並びに２つの非依存性のＳＰＥＣＴスキャンを提供するために定位的にみるか、または、１つの結合セットの断層撮影ＳＰＥＣＴ画像を製作するために結合される角度のある視図の半分を提供する各対を利用するプラナーモードが含まれる。
【００１１】
(6)患者はベッドの上に横たわることができ、いすに真直ぐに座ることができ、また最適にはいすにリクライニングした位置で座って安楽状態で患者のヘッドの動きを制限することができる。
(7)患者のヘッドは、スキャンの間に頭部の運動を最小にする撮像ベッドまたはいすに取り付けられるが、不快さを大きくすることはない。
(8)撮像ベッド、いす、そして／または、イメージャ・ガントリーは、頚部／頭部の適切な高さにおける中央撮像面の位置ぎめを可能にし、関心領域の最適化された撮像を提供できる。
【００１２】
(9)高解像撮像における新しい撮像標準に従って、患者のヘッドの位置はスキャンの間、頭部の運動によるＳＰＥＣＴデータを修正するために、光学的モニタリング・システムによって絶えずモニターされる。
(10)２つのコンパクトな検出器ヘッドはアレイ状のコンパクトな位置検出型ＰＭＴを使うことができるが、システムをさらにコンパクトにし、潜在的にはさらに丈夫にする新しいシリコン光電子増倍管（ＳｉＰＭＴ）も使用できる。
【００１３】
(11)ＳｉＰＭＴの実装とＭＲＩ互換性の遮蔽、コリメータ、および他の材料（これらは強磁場に免疫である）はイメージャをＭＲＩ磁石に挿入することを許して、同時のデュアル・モダリティ撮像を達成する。該撮像には、ｆＭＲＩ−ＳＰＥＣＴを含み、これは脳機能の研究のため２つの機能的な画像診断療法を組み合わせるものである。
10)本発明のこれらのおよび他の目的並びに利点は、図面を参照しつつ以下の説明を読むことによって、より理解される。
【図面の簡単な説明】
【００１４】
【図１】11)図１は、各カメラによって検出されたγ線の数を測定するのに使用される式の幾何学的パラメータを含む、本発明による脳撮像システムの患者のヘッドの上方からの上面図である。
【図２】12)図２は本発明によるアレイ状のフラットパネル・マルチ・パッド光電子増倍管に基づいているカメラヘッド構成の例である。
【００１５】
【図３】13)図３は９０度に近い相対角度で検出器ヘッドが回転式ガントリーのリング・プレートに取り付けられている、２対のコンパクトな対向した共同登録されたガンマ・イメージャの上面図である。
【図４】14)図４は、５個の選択されたコリメータについて＋／−  １０％のエネルギーウィンドウに測られた比較感度を示すグラフである。
【図５】15)図５は、本発明による、様々なコリメータの検出器外因性空間分解能（ｄｅｔｅｃｔｏｒ  ｅｘｔｒｉｎｓｉｃ  ｓｐａｔｉａｌ  ｒｅｓｏｌｕｔｉｏｎ）を検出器表面から距離の関数として表現するグラフである。
【００１６】
【図６】16)図６は病変関心領域（ＲＯＩ）の中での検出感度（１０分当りのカウント数で表現）を検出器からの病変距離（ｃｍ）の関数として示した依存性のグラフである。
【図７】17)図７は、２つの対向したカメラにより個別に測られた、そして結合された（増倍され、重積された）８ｍｍの球状の病変の病変コントラスト、対、検出器ヘッド間の病変の位置のグラフである。
【発明を実施するための形態】
【００１７】
18)従来のＳＰＥＣＴ撮像では、異なった角度での検出器ヘッドの位置から一連の画像または投影を取得する。
撮像ヘッドは回転式ガントリーに取り付けられている。
あらゆる方向から等距離に離れている、ヘッドまたは頚部の内側セクターを除いて、患者のヘッドまたは頚部の各セクターにはそのセクターへの最接近の方向からのより良い視感度（visibility）がある。
該内側のセクターからのガンマカメラの撮像信号ははるかに減衰していて、その結果こうしたセクターのための画像再構成は劣る。
【００１８】
19)
ＳＰＥＣＴで実質的な改善は、対象物の３Ｄ断層撮影再構成アルゴリズムを実施する前に、二つの相対し共同登録されたガンマ線イメージング・ヘッドからの、各角度での視野での投影画像を結合する、という概念を使うことによって得ることができる。さらに集まられたデータの吸収及び空間的な分解効果ならびにその後の更正のコンピュータモデルは再構成された３次元像の品質を改良するだろう。
20)現在の技術水準では、患者のシンチ撮影、または単一光子ガンマ線イメージングが標準の核医学カメラで実行され、それは直径１ｃｍ未満の病変のような小さな特徴、特にガンマカメラの表面から離れて位置した対象物に対して低感度である。この低いパーフォーマンスの主要因は、セクターまたは病変と検出器ヘッドの間の距離が大きいことによる、撮像中の低い空間分解能である。その結果、従来の大きい視野（ＦＯＶ）のカメラで得られた患者研究は、目標-コリメータ間距離（target-to-collimator distances）（ＴＣＤ）により低解像度である。解像度は撮影距離の関数として減少するので、ＴＣＤは空間分解能の、そしてそれゆえに病変検出感度のための主因になる。患者のヘッドの極く近くに小さいＦＯＶ撮像ヘッドを原則として配置し、ＴＣＤを最小にすることによって、空間分解能を改良することができる。しかし、病変-カメラの距離はなお強い影響を病巣検出に持っており、そして、これらの専用器具でさえ、対象物（ヘッド、頚部など）の中の病変の位置により、かなりの感度のばらつきを示す。患者のヘッドの反対側に第二検波器を組み込むことによって、私たちは全症例においてＴＣＤを最小にすることが保証される。
21)私たちの発明の主題は理論的に予想され、臨床的に観測された、患者のヘッド／頚部からのＴｃ−９９ｍのガンマ線放出の検出における限界への実質的な救済策である。
この限界はすべての単一のガンマ画像診断療法の診断品質に悪影響を与えるが、特に同時により高い空間分解能と感度を必要とする撮像（脳撮像の際にしばしば必要である）の場合にそうである。  
【００１９】
22)本発明のコンパクトで、可動式の、専用ＳＰＥＣＴ脳イメージャは患者（ＥＲ、ＩＣＵ、病院用ベッド、通院患者センター）へ移動して現場での撮像を提供することができ、特に患者を核医学撮像センターに動かすことができないときである。ＰＥＴと比べて、単一光子でラベルされたバイオマーカの広範囲の入手性のため、ＳＰＥＣＴ脳イメージャは多くの場所で、メディカルセンタから遠いても、使用できる。本発明による高効率、高解像度（約５ｍｍ）、かつ経済的な専用ＳＰＥＣＴ脳イメージャは脳疾患または病状（例えば、損傷(trauma)）の早期発見に対して、また治療計画と看視に対して重要な影響を与えることができる。
該イメージャのより高い空間分解能は特別な共同登録されたデュアル・ヘッド設計のため感度を維持する。本発明の脳イメージャは、より小さい異常を検出し、標準の単一光子イメージャよりも、脳疾患または病状のより早期のより正確な診断を可能にする。該脳イメージャは最近導入されたバイオマーカに関連して高速分子的画像診断療法を利用して、認知症などの脳疾患の早期診断を改良する。
【００２０】
23)本発明の脳ＳＰＥＣＴイメージャは、イメージャ・モジュール（一組又は二組の撮像対）による角度のカバー範囲と撮像スライスの幅（５−２０ｃｍ）に応じて、回転的な、そして潜在的には並進的なスキャンのための専用の軽量の可動式ガントリーを備え、脳ＳＰＥＣＴイメージャは高品質な完全な角度サンプリング、速いプレーナ撮像、標準の、又は限定的な角度のＳＰＥＣＴ撮像のための、オプションの高速連続ダイナミックスキャンを提供できる。このコンパクト構造は、改良された解像度および／または感度と共に、イメージャとガントリーとを患者のヘッド／頚部の間近に位置決めすることを可能にする。
患者ヘッドの大きさが異なるなどの異なった状況、いすまたはベッドのように、に適応するように検出器ヘッドの間の距離を調整できる。コンパクト構造は患者のための、ベッドの上に横たわるか、または固定したもしくは回転するいすに座るかなど、いくつかのオプションを有するフレキシブルな撮像構造を容認する。場所間の簡単な移送、収納、または乗り物への簡単な設置のために、回転式ガントリー、ベッド、およびいすを含むすべてのシステム要素が可動式のでありうる。このシステムには、スキャンの間のヘッド／頚部の運動のために修正するヘッド／頚部モニターシステムを含むことができる。読出しエレクトロニクス、制御、および専用コンピュータを有するデータ処理ステーションを別の可動式の車付きキャビネットに設置するか、あるいはガントリーまたはベッドもしくはいすに組み込むかまたは取り付けることができる。
【００２１】
24)また、異なったガントリーの上で再構成され、最適のコリメータが取り付けられている場合には、例えば四肢、頚部、甲状腺、乳房でさえなどの患者の身体の他の部分に提案され共同登録されたデュアル・ヘッド単一光子脳イメージャ概念を原則として使用できる。
【００２２】
25)図１を見ると、共同登録された検出器の使用で得られた改良を実証するための、本明細書に使用された近似式に関する幾何学パラメータについて説明する上面図が示されている。本発明の脳ＳＰＥＣＴイメージャ２０は標準のガンマカメラを使用する共同登録されたデュアルサイドの撮像の原理の下で作動する。
この幾何的配置は患者のヘッド２６の反対側に置かれた同じで共同直線的な平行孔コリメータ２４を有する２個の同じガンマカメラ２１と２２を含んでいる。
ここで下記の式（１）と（２）に適用された近似式の幾何学パラメータが図１に示されている。放射線活性Ａを有するヘッド／頚部／脳のセクター２８がカメラまたは検出器２１の向き特定の断面レベルにおける対象物の厚さはＴである。
選択されたヘッド／頚部／脳のセクター２８から２個の検出器２１と２２に達するγ線は、該好ましい構成では平行孔コリメータ２４を使用するために、投影チューブ３０の中にほとんど含まれており、前側の検出器の表面に対して垂直であり、対象物セクターの横方向寸法である。
【００２３】
26)ヘッド／脳／頚部セグメントの単位時間あたりの全放射能がＡであれば、２つの平面画像の同時収得、各カメラ２１と２２により検出された該ヘッド／頚部セグメントからのγ線の数は次によって近似できる。
【００２４】
【数１】
2012515921.tif 000003
【００２５】
ここで、ε1およびε２はそれぞれカメラ１と２の実用的検出効率（肺、骨などの吸収を含む）であり、ｔは秒単位のアクイジションタイムであり、μは組織の線形減衰係数(linear attenuation coefficient)（ｃｍ−１）であり、ｄは、ヘッド／頚部の表面の下の対象物セクターの深さ（ｃｍ）であって、カメラ１の表面の方向に測定された深さであり、そして、Ｔは関連投影平面で、その方向での対象物の厚さ（ｃｍ）である。
【００２６】
27)両方のカメラはヘッド／脳／頚部のセクターの２つの相補的な投影図と対応する測定された活動率(activity rate)を提供する。
両方の測定された活動率は、減衰とコリメーションのファクターによって下げられた真の活動率である。測定された活動へのコリメーションの影響は特定の対象物セクターまでの距離には全く依存しないが、減衰効果は物体表面（距離ｄ）からの特定のヘッド／脳／頚部セクターの距離の関数として被測定信号を下げる。
しかしながら、同じタイム・ビンで得られた２つの共同登録された画像のピクセル値がピクセルごとのベースで増倍され、そのために各タイム・ビンごとに単一の生成イメージを生じるならば、関心対象物セグメントからの該生成画像信号値は次式で近似できる。
【００２７】
【数２】
2012515921.tif 000004
【００２８】
28)方程式（２）は、残っている吸収効果は当該ヘッド／頚部撮像スライスレベルにおけるヘッド／頚部の厚さＴによって表現されつつ、対象物セグメントの深さｄの影響が同式から取り除かれている、ことを示している。すなわち、検出感度は、対象物の全体積に渡ってはるかに均一であって、別々に使用した時の該２個の個々の視野(views)の場合よりも高く、該２個を重積した(summed)時と比べてさえ高い。
最適な画像の増倍(multiplication)または合成(combination)は対象物（ヘッドまたは頚部）のより正確な物理モデリングを伴うべきであるが、この簡易型の数学的表現でさえ共同登録された撮像の主要な特徴と有力さを示している。
【００２９】
29)本発明の脳ＳＰＥＣＴイメージャは、放射線吸収効果を最小にしつつ、ヘッド／頚部の全体積にわたってヘッド／脳／頚部の組織中で、血流量または潅流などのヘッド／脳／頚部の活動の検出感度の均一性を最大にするために、または特異的とりこみの他の理由のために、２つの（１８０度でお互いに対してセットされた）対向したガンマ線イメージング・ヘッドから得られた２つの共同登録された（ピクセルごとの）系列の動的画像(dynamic images)を使用することによって、脳撮像と診断を改良する。
【００３０】
30)正規化(normalization)／画像融合が、２つの対向した検出器ヘッドの位置から得られた２つの図または画像で見られるいかなる対象領域の信号でも増強するように、ピクセル-対応ピクセルで実施される。検出器ヘッドは回転式ガントリーに通常取り付けられて、１８０−３６０度にわたるヘッドおよび／または頚部の角度のある視野(view)の完全セットを得て、次に対象物の３Ｄ断層撮影の再構成を得る。
31)必要な正確でユニークな１対１検出器ピクセル対応  (one-to-one detector pixel correspondence)を達成するために、２つの検出器ヘッドの位置が幾何学的に１ｍｍより良く整列させられる。該２カメラからの１ピクセルあたり1ピクセルの合成した角度の異なる視野(view)に種々の式を使用することができる。最も効率的にダブルサイド撮像からの２つの画像を結合することが不可欠に重要である。重積され増倍された画像のほかに、他のより精巧なオプションとしては、これら二つの対応するピクセル値を合計する前に考察すること、またはヘッドおよび／または頚部の特定のセクターの位置に応じて、吸収および解像度の回帰の式で身体的状況をモデル化さえすることが挙げられる。
繰返し手法が、対象物の構造とバイオマーカのとりこみ分布について最良の情報を抜き出すために使われる。
【００３１】
32)従来のＳＰＥＣＴイメージャに比較して、両方の検出器からのピクセルごと結合された画像は脳全体でのまたは頚部での血流量またはとりこみの動態にはるかに均一の感度を提示する。本発明の共同登録されたデュアル・ヘッド撮像システムは、ガンマ吸収効果のための一次更正により小さい画像特徴の検出信号と検出を高める（上式（２）で示されるように）。対象物の各射影図について、共同登録されたデュアル・ヘッドシステムは、1）２カメラによって同時に測定された２つの統計的に独立した信号の相関付けを介した該信号の統計的強度の増加（信号対雑音比（ＳＮ比））を示すことによって、そして、２）２カメラで同時に測定された２つの画像の結合（増倍等）を介した画像特徴（ホットスポットなど）のコントラストを増加させることによって、小さい画像特徴の検出信号と検出も高める。
【００３２】
33)本発明の共同登録されたデュアル・ヘッド撮像システムによって供給された信号増大は、通常非線形（例えば、１ピクセルあたりの1ピクセルの画像増倍(pixel-per-pixel image multiplication)を使用するとき）であり、そして、したがって、異なる複数の関心領域(regions of interest)（ＲＯＩ）での取込み率を引き出すには使用できない。しかし、構造の可視性(visibility)を強く高め（「鋭くする」）、分布の不均ー性を、したがって異常なバイオマーカ取り込みパターン（アルツハイマー病、損傷(trauma)、癌腫、および他の疾病病状で見られるような）の検出を強調する。
34)本発明による共同登録されたデュアル・ヘッド撮像システムでいくつかの画像技術を実施できる。
ひとつの好適実施形態は、機械的なコリメータ（これらの材料の通常鉛、タングステン、または合金）を通るγ線のセンサー／エネルギ変換器としてシンチレータを含んでいるが、種々ｊの光電検出器がシンチレータ内で吸収されたγ線により発生したシンチレーション光の検出器として機能する。
該シンチレータはＮａＩ（Ｔｌ），  ＣｓＩ（Ｔｌ），  ＣｓＩ（Ｎａ），  ＧＳＯ，  ＬａＢｒ３、その他のようなピクセル化されたまたはプレート状の結晶材料から作られ得る。
シンチレーション物質の厚さは、特定のエネルギー（例えばＴｃ９９ｍ標識によって放出される１４０ｋｅＶ）のγ線に対して十分な停止パワーを提供しなければならなくて、通常、数ミリメートルから数センチメートルである。
35)光検出器部分は、標準のもしくは多元素光電子増倍管、位置検出型、フラットパネルまたはマイクロチャネルプレート系の光増倍管、アバランシェ・フォトダイオードアレイ、抵抗など読み出し装置付き大判アバランシェフォトダイオード、および新しいいわゆるシリコン光電子増倍管の種々の変種であり得る。
【００３３】
36)今日の技術を使用するコンパクトなデュアル対向ヘッド・イメージャ・システムの好適実施形態は４×４アレイに配置されて、２ｍｍ−５ｍｍの画素サイズで０．６−１．２ｃｍの厚さのＳａｉｎｔ  Ｇｏｂａｉｎ  Ｃｒｙｓｔａｌｓ ａｎｄ  Ｄｅｔｅｃｔｏｒｓ  ＮａＩ（Ｔｌ）シンチレータ・ピクセルアレイに結合された、アレイ状の１６Ｈａｍａｍａｔｓｕ  Ｈ８５００フラットパネル・マルチ・パッド位置検出型ＰＭＴに基づいている。この構成はＴｃ−９９ｍからの１４０ｋｅＶのエネルギー光子のために最適化される。Ｂｕｒｌｅ  Ｉｎｄｕｓｔｒｉｅｓ  ｏｆ  Ｌａｎｃａｓｔｅｒ，  Ｐｅｎｎｓｙｌｖａｎｉａから入手可能なＢｕｒｌｅ  ８５０１  １−５０１、およびＳｔｕｒｂｒｉｄｇｅ，  ＭａｓｓａｃｈｕｓｅｔｔｓのＰｈｏｔｏｎｉｓ  ＵＳＡ、Ｉｎｃから入手可能なＰｈｏｔｏｎｉｓ  ＸＰ  １４７０のような他の多元素ＰＭＴ(multi-element PMT)もガンマ検出器ヘッドで使用できる。Ｈ８５００ＰＭＴはブリッジウォーター（ニュージャージー）のＨａｍａｍａｔｓｕ  Ｃｏｒｐｏｒａｔｉｏｎから入手可能である。
Ｓａｉｎｔ  Ｇｏｂａｉｎ  Ｃｒｙｓｔａｌｓ  ａｎｄ  Ｄｅｔｅｃｔｏｒｓはハイラム（オハイオ州）のセイント−Ｇｏｂａｉｎ  Ｃｒｙｓｔａｌｓから入手可能である。
【００３４】
37)図２を見ると、本発明による共同登録されたデュアル・ヘッド撮像システムに使用するための検出器ヘッド４０の好適実施形態が示されている。該検出器ヘッド・センサー部品はコンパクトなマルチ・パッドＰＭＴ装置を含んでいる。カメラヘッド４０の構造はウィンドウ４８の後ろでカプセル化されたシンチレーション・アレイ４６に光学スプレッダ・ウィンドウ４４を介して結合された、付属電子装置付きの１６（４×４）のアレイ状のＨａｍａｍａｔｓｕ  Ｈ８５００フラットパネル・マルチ・パッドＰＭＴ４２に基づいている。反射ストリップ５０が複数のＰＭＴ４２の間の不感領域５２に置かれ、幅約４ｍｍの不感領域５２からのシンチレーション光の収集を改良する。シンチレーション・アレイ４６の前にあるシールディングとコリメータはこのスケッチには示されていない。
【００３５】
38)図２に示されている、コンパクトなマルチ・パッドＰＭＴ検出器ヘッドの構成を使用する、各シングル・ヘッド・イメージャは、少なくとも２５０ｋＨｚの速度能力(rate capability)で作動できる。高い速度能力はディジタルイメージング・カメラ検出器からデジタル化している情報を移すのに平行なディジタル・データ流れモードで作動する能力を含む器具の設計の結果である。現在医療に使用されている従来のガンマカメラは、部分的にはそれらの遅いフロントエンドエレクトロニクスおよびデータ収集システムのために、約１００ｋＨｚ未満に制限された固有速度能力を有する。
【００３６】
39)検出器ヘッドの第二の好適実施形態例は、第一の実施形態よりコンパクトで軽いが、マルチ・パッドＰＭＴがシリコンＰＭＴｓに取り替えられた検出器ヘッドを含んでいる。シリコンＰＭＴはＭｏｕｎｔａｉｎ  Ｖｉｅｗ（Ｃａｌｉｆｏｒｎｉａ）のＳｅｎｓＬ  ＵＳＡ、ウォータータウン（マサチューセッツ）のＲａｄｉａｔｉｏｎ  Ｍｏｎｉｔｏｒｉｎｇ  Ｄｅｖｉｃｅｓ，  Ｉｎｃ、トロント（カナダ）のＺｅｃｏｔｅｋ、およびブリッジウォーター（ニュージャージー）のＨａｍａｍａｔｓｕ  Ｃｏｒｐｏｒａｔｉｏｎを含むいくつかのメーカーから入手可能である。さらに、非−シンチレータ系のイメージャ・ヘッドはカドミニウム・テルリドまたはカドミウム亜鉛テルリドの物理的または電子的にピクセル化された(pixellated)ガンマ・センサーに基づくことができる。
【００３７】
40)図３を参照すると、コンパクトなデュアル対向ヘッド・イメージャ・システム６０の好適実施形態は、二対６２、６４の共同登録されたガンマ検出器ヘッド６６を含んでいる。２対６２、６４のコンパクトな対向し共同登録されたガンマ・イメージャ６６は９０度に近い相対角度でヘッド／頚部の定位的視線を提供できる。検出器ヘッド６６は回転式ガントリーのリング・プレート６８に取り付けられる。患者のヘッド７０に対する検出器６６の角度と位置、ならびに、該２対６２と６４の間の相対角度は、検出器ヘッド６６と関連取り付けギアのサイズによって決定される機械的な制限の範囲で、ある程度フレキシブルであり調整可能である。
【００３８】
より最適のＳＰＥＣＴ撮像を提供することに加えて、ヘッド／頚部の２つのプラナー定位的視線の同時動的（dynamic）記録はヘッド／頚部の（これら視線の１つにおいて）セクターを重ね合わせることからの貢献を解きほぐす深さ情報を提供できる。
【００３９】
これらの２個の相補的な視線(views)に基づいて、該ソフトウェアは動的モデルに基づく重ね合わせの貢献を巻くことができる。最終結果は、ＳＰＥＣＴによって提供される詳細な断層撮影情報を必要としない、例えば血流量の動態の撮像の最初のパスや他の症例などのいくつかの脳撮像機能を迅速に評価する単純だが強力な単一光子撮像システムである。
41)胸部撮像シナリオに適用された対向デュアルヘッドの概念のデモンストレーションは、ファントムテスト(phantom tests)を使用して実行された。対向デュアルヘッドのコンセプトは、乳房の上でファントムテストを使用することでデモンストレーションされた。これらの研究で得られた処理結果のいくつかがヘッド／頚部撮像シナリオに関連している。軟部組織と同等のファントムについて実施された実験により、シングルサイド撮像に対してデュアルサイド撮像の改良が実証された。最後のサブセクションで、脳ファントムについて実行された初期のおよび極く最近の研究の結果を示す。いくつかのタイプのコリメータを感度と分解能パラメータを変えて実験に使用した。
【００４０】
42)表１と表２にはコンパクトな撮像カメラによる実験に使用された１セットのコリメータのパラメータと測定特性が記載されている。表１はコリメータ・パラメータを含んでいる、そして、表２は２つの撮像エネルギーウィンドウについて測定されたコリメータ感度を含んでいる。
【００４１】
【表１】
2012515921.tif 000005
【００４２】
【表２】
2012515921.tif 000006
【００４３】
43)表２に示された５つの選択されたコリメータについて＋／−１０％のエネルギーウィンドウについて測定された比較感度を、図４にグラフで示す。さらに、図５は、表１からの様々なコリメータによるシステム分解能を使用して、検出器の表面からの距離の関数として検出器外因性(detector extrinsic)空間分解能の例を示す。おのおのの線はデータポイントを通した直線的な適合を表す。縦軸の目盛は単位がシンチレーション・ピクセル（１ピクセル＝３．３ｍｍ）である。
【００４４】
44)個々の細いキャピラリー（１ｍｍ未満の直径）を、放射性溶液で満たされた数セットのキャピラリーとして、デュアルカメラシステムの空間分解能を測るのに使用し、２つの対向したカメラのそれらコリメータとの整列を１ｍｍより良い精度で行った。該キャピラリーをおよそ１ｃｍずつのステップで検出器Ｂから離すように検出器Ａの方へ動かした。これら２個の検出器から、個々の、そして結合された画像が得られた。結合された画像は良好な分解能を示し、そして、解像度は大体において二つの検出器ヘッドの間のキャピラリーの位置に非依存性である。この実証試験（７ｃｍのカメラからカメラへの間隔）に関わる距離はヘッド／頚部撮像の場合よりはるかに短かった。
【００４５】
45)さらに、２つの対向したカメラから、そして４つの直径＞１ｍｍのキャピラリーからなるフレームの結合された画像が得られた。該フレームは、二つのカメラの位置合せを検査するのに使用されるが、二つのカメラの間の中央平面に、それらの表面と平行に置かれた。結合画像は良好な分解能（キャピラリーセットの細長いプロフィール）と、より高いコントラストを示した。この実証試験に関わる距離（５ｃｍ、カメラ-カメラの間隔）は現実の場合のヘッド／頚部撮像よりはるかに短かった。
【００４６】
46)暖かい背景における小さな病変についての画像研究の結果は、減衰、分散および空間分解能-対-距離の組み合わせ（それぞれが病変コントラストへの断片的な損失を結果として生じる）が組み合わさって病変から検出器までの距離の関数として優位な信号低下を起こす、ことを示す。減衰の距離との効果が最初に検討された。図６は、小さい均一のゼラチン・ファントムにおける９ｍｍのシミュレートされた直径病変に対する、病変の位置、もしくは該病変とコンパクトなガンマカメラの表面の間の表面を覆う「ヘッド組織」の厚さの、実験的検出感度依存性を示す。図６では、検出感度の依存性は検出器からの病変距離（ｃｍ）の関数として病変関心領域（ＲＯＩ）内で１０分あたりのカウント数で示される。水で満たされた冷たい乳房ファントム・ボックス中の熱い直径９ｍｍの病変を使用した。５ｃｍのファントム材料で観測された信号の１／２を超えるほぼ指数関数的減少は、対象物セクターまたは病変によって放出された１４０ｋｅＶのγ線の吸収と散乱のためである。図６のデータポイントへの指数の適合で０．１３０／ｃｍの減衰係数を得た。ヘッドまたは頚部の場合では、減衰係数は軟部組織の場合より平均的に高くなる、距離効果を高める。上記の減衰効果は空間的な（コリメータ）解像度への距離の影響と結合して、画像化された病変のコントラストおよび信号雑音比（ＳＮ比）を下げる。
【００４７】
47)更なる１セットの病変熱感スポット型の研究では、コントラストとＳＮ比を数個の病変について２つの検出器ヘッドの間のそれらの位置の関数として検討した。予想したように、すべての病変サイズととりこみのケースにおいて、２つの反対側画像を結合すると、コントラストは改善したが、本当に、この技術は、小さな病変の視感度を高めることによって、その利点を示した。図７に関して、２つの対向したカメラによって個別に測られて結合した（増倍され、重積された）８ｍｍの球状の病変の病変コントラストは、対、検出器ヘッド間の病変の位置が表現されている。わかるように、結合され増倍している画像から測られたコントラストは、この場合、要素２位を超えてより高く、厚さ７ｃｍのファントムをシミュレートする軟組織の検出器ヘッドの間の病変の位置に大きく非依性である。この実証試験にかかわる距離はヘッド／頚部撮像の場合よりはるかに短い。
48)これらの実験研究の結果は、デュアルヘッドシステムがヘッド／脳／頚部を画像化する際に小構造のより良い視感度を提供することを強く示唆する。これらの効果が、より高い吸収係数とより大きい距離がかかわっているヘッド／頚部撮像の場合（１０ｃｍを超える２５ｃｍ）により一層明白になると予想される。
【００４８】
49)Ｄａｔａ  Ｓｐｅｃｔｒｕｍ  Ｃｏｒｐｏｒａｔｉｏｎ  （Ｈｉｌｌｓｂｏｒｏｕｇｈ，  Ｎｏｒｔｈ  Ｃａｒｏｌｉｎａ）から入手可能なマルチコンパートメント脳ファントムを２１センチメータの距離に置かれた２つの検出器ヘッドを用いてパイロット研究に使用した。脳ファントムの上部右側の（ｔｏｐ  ｒｉｇｈｔ）「葉」セクターは約半分活性で満たされ、アルツハイマー病の発症をシミュレートした。脳ファントム、カメラが１８０度で共同登録されている２ヘッドのカメラシステムで撮像し、ファントムはシステムのＳＰＥＣＴ操作をシミュレートするカメラの間の回転するステージに置かれた。各カメラはアレイ状の８×６Ｈａｍａｍａｔｓｕ  Ｒ８５２０ＰＳＰＭＴと結合された３ｘ３ｘ６ｍｍ３のＮａＩ（Ｔｌ）ピクセル（３．２ｍｍピッチ）の２Ｏｘ１５ｃｍ２ＦＯＶアレイを使用した。該システムは別々のｘ  （１６）及びｙ  （１２）読み出し装置セクター、およびＦＰＧＡベースのＡＤＣ  ＤＡＱシステムを使用した。初期実証テストの簡単さのために、この撮像幾何的配置ではファントムは検出器の表面に平行に、適切な患者の脳スライスオリエンテーションに直交したオリエンテーションに置かれた。
【００４９】
50)２つの対向し共同登録されたガンマカメラを使用してプラナー画像検査を得た。最初のカメラから、２番目のカメラから画像を得、そして２つのカメラから結合した画像を得た。２Ｄ脳ファントムを２１センチメータ（表面から表面まで）間隔をおいた２個のカメラの間の中心面に置いた状態で、最初のセットの画像を得た。該ファントムを最初のカメラに対して置いた状態で、２番目のセットの画像を得た。処理結果は、これらの極端なケースの両方において、活性が低下した領域を検出するのに結合された画像が最も良いのを示した。
【００５０】
51)図５に示されるように、そして単一の光子撮像（ＰＥＴイメージングと対照的）の場合に予想されるように、空間分解能は検出器ヘッド／ガンマカメラに取り付けられている平行孔コリメータからの対象要素またはセクターの距離とともに著しく悪化する。特に、該要素又はセクターの２カメラまでの距離がかなり異なる非対称の状況では、この効果はかなり劇的である。
52)低い脳活性をシミュレートした上部右側「葉」（ｔｏｐ  ｒｉｇｈｔ  ”ｌｏｂｅ”）を横切るプロフィールで別の脳ファントム画像を得た。結合された画像から得られたプロフィールは、両撮像ケースでより高いコントラストを示した。どちらの場合も両方の画像が結合されたとき、コントラストは改良された。２つの画像を結合する他のアルゴルズムも同様の処理結果で可能である。しかしながら、それらは有意なほどより大きいコントラスト増大を起こすことはありそうもない。
【００５１】
53)通常、この副作用を最小にしようとする試みは、再びＰＥＴイメージング・ケースと対照して、撮像感度の重大な低下を結果として生じる。したがって、最適方法は、高いシステム感度（しかし、２つの個々のヘッドの低い空間分解能撮像で、伴走する）を維持しながら、２つの組み合わせた撮像ヘッドのパワーを利用し、改良された空間分解能と画像コントラストを得ることである。
54)要約するに、システムの高感度が最も重要である時の脳撮像場合では、好ましいオプションは、より大きい距離で、かなり低い分解能を有する高能率コリメータを使用することである。高空間分解能適用のために、２個の中分解能コリメータが、提案したデュアルカメラ撮像法の強い併用効果特性のため十分である。
【００５２】
55)本発明によると、患者のヘッド、脳、および頚部の領域を画像化するコンパクトで可動式の高解像ＳＰＥＣＴイメージング・システムは、それぞれ２つの対向し共同登録されたガンマカメラの二セットを含んでいる。この４ヘッドのシステムは回転式ガントリーに取り付けられ、カメラが患者のヘッドまたは頚部の周りの軌道を動く。それらのコンパクト性のため、隣接しているカメラヘッドの有効なＦＯＶの縁部は機械的なカメラの端に非常に間近であり、そして、これは患者のヘッド／頚部の近くに非−干渉で効率的なカメラ配置を可能にする。間近な位置ぎめはコンパクトで可動式の高解像ＳＰＥＣＴ撮像システムでの高空間分解能を保証する。
56)上記の説明は多くの具体的な説明、材料、および寸法を含んでいるが、単に本発明の現在における好適実施例のいくつかの例示的説明を提供するものであって、これらを本発明の範囲を限定するものと解釈するべきでない。したがって、本発明の範囲は示した例によってではなく、添付の請求の範囲と法的な同等物で決定するべきである。
【符号の説明】
【００５３】
２０  コンパクトな対向したヘッド脳撮像システム（第１実施形態）
２１  第一検波器またはガンマカメラ
２２  第二検波器またはガンマカメラ
２４  平行孔コリメータ
２６  患者のヘッド
２８  ヘッド／頚部／脳のセクター
３０  検出器に達するγ線の投影チューブ
４０  検出器ヘッド、好適実施例
４２  フラットパネル・マルチ・パッドＰＭＴ
４４  光学スプレッダ・ウィンドウ
４６  シンチレーション・アレイ
４  ８ウィンドウ
５０  反射ストリップ
５２  不感領域
６０  コンパクトなデュアル対向ヘッド撮像システム、好適実施例
６２  共同登録されたガンマ検出器ヘッドの第１の対
６４  共同登録されたガンマ検出器ヘッドの第２の対
６６  検出器ヘッド
６８  リング・プレート
７０  患者のヘッド
【図１】
2012515921.tif 000009
【図２】
2012515921.tif 000010
【図３】
2012515921.tif 000011
【図４】
2012515921.tif 000012
【図５】
2012515921.tif 000013
【図６】
2012515921.tif 000014
【図７】
2012515921.tif 000015
【国際調査報告】
2012515921.tif 000016